(57)【要約】    【課題】  オープニング画面としての画像表示時のユーザーのイライラ感を軽減することが可能な表示制御装置を提供する。    【解決手段】  電源オン時にオープニング画面として画像を所定の時間表示するように制御する表示制御装置であって、前回電源をオフした時刻或いはオンした時刻を記録するメモリ０６と、メモリ１０６に記録した時刻と今回の電源オン時刻とを比較するシステム制御回路１０４と、システム制御回路１０４の比較結果に基づいて表示するオープニング画面を変更するシステム制御回路１０４とを具備した。【選択図】      図１
2005321695.tif 000002
【特許請求の範囲】
【請求項１】
電源投入時にオープニング画面として画像を所定の時間表示するように制御する表示制御方法であって、
前回電源をオフ（ＯＦＦ）した時刻或いは電源をオン（ＯＮ）した時刻を記録する記録工程と、
前記記録工程により記録した時刻と今回の電源オン時刻とを比較する比較工程と、
前記比較工程による比較結果に基づいて表示するオープニング画面を変更する変更工程と
を具備したことを特徴とする表示制御方法。
【請求項２】
前記比較工程による比較結果に基づいてオープニング画面の表示を行うか否かを制御する制御工程と、
前記比較工程における比較基準として任意の値を設定する設定工程と、
前記任意の値を記録するための記録工程と
を具備したことを特徴とする請求項１に記載の表示制御方法。
【請求項３】
電源投入時にオープニング画面として画像を所定の時間表示するように制御する表示制御装置であって、
前回電源をオフ（ＯＦＦ）した時刻或いは電源をオン（ＯＮ）した時刻を記録する記録手段と、
前記記録手段に記録した時刻と今回の電源オン時刻とを比較する比較手段と、
前記比較手段の比較結果に基づいて表示するオープニング画面を変更する変更手段と
を具備したことを特徴とする表示制御装置。
【請求項４】
前記比較手段の比較結果に基づいてオープニング画面の表示を行うか否かを制御する制御手段と、
前記比較手段における比較基準として任意の値を設定する設定手段と、
前記任意の値を記録するための記録手段と
を具備したことを特徴とする請求項３に記載の表示制御装置。
【請求項５】
請求項１または２に記載の表示制御方法を実現するためのコンピュータ読み取り可能なプログラムコードを有することを特徴とする制御プログラム。
【請求項６】
請求項１または２に記載の表示制御方法を実現するためのコンピュータ読み取り可能なプログラムコードを保持することを特徴とする記憶媒体。
【発明の詳細な説明】
【技術分野】
【０００１】
本発明は、ビデオカメラ等の電子機器に適用される表示制御方法、表示制御装置、制御プログラム及び記憶媒体に関する。
【背景技術】
【０００２】
最近の電子機器の進歩はめざましく、多くのメーカーが高機能、高性能を謳い文句とした電子機器を開発し、市場に投入している。
【０００３】
しかし、高機能化及び高性能化は、一方で電源オン（ＯＮ）後のリセット時間の増大に影響を与えており、今後、更に増大傾向にあると思われる。
【０００４】
リセット時間中は、一般的に、画像ではなく、只単なる黒画面が液晶表示手段等の表示画面に表示される場合が多い。
【０００５】
このリセット時間が長いと、ユーザーは、故障等の可能性を考えて不安感を抱いたり、平常画面が表示されるまで待たされて、イライラ感を抱くため、この不安感やイライラ感を軽減させる１つの方法として、表示画面にオープニング画面として画像を表示することが考えられる（例えば、特許文献１参照）。
【特許文献１】特開２０００−２３６４５８号公報
【発明の開示】
【発明が解決しようとする課題】
【０００６】
オープニング画面として画像を表示することは、リセット時間の間待たされるユーザーの不安感やイライラ感（不快感）を軽減する効果を持つ一方、毎回電源を入れる度に同じようなオープニング画面を見せられると、それによるイライラ感が増大する可能性もある。
【０００７】
また、オープニング画面をユーザーにより強く認識させるために、オープニング画面の表示時間をリセット時間よりも長く設定することも考えられ、その待機時間の延長が、ユーザーのイライラ感を増大する可能性がある。
【０００８】
また、オープニング画面としての画像が毎回同じであった場合には、更にユーザーのイライラ感が増大することも考えられる。
【０００９】
本発明は、上述したような従来技術の有する問題点を解消するためになされたもので、その目的は、オープニング画面として画像を表示する際のユーザーのイライラ感を軽減することを可能とした表示制御方法、表示制御装置、プログラム及び記憶媒体を提供することにある。
【課題を解決するための手段】
【００１０】
上記目的を達成するため、本発明の表示制御方法は、電源投入時にオープニング画面として画像を所定の時間表示するように制御する表示制御方法であって、前回電源をオフ（ＯＦＦ）した時刻或いは電源をオン（ＯＮ）した時刻を記録する記録工程と、前記記録工程により記録した時刻と今回の電源オン時刻とを比較する比較工程と、前記比較工程による比較結果に基づいて表示するオープニング画面を変更する変更工程とを具備したことを特徴とする。
【００１１】
また、上記目的を達成するため、本発明の表示制御装置は、電源投入時にオープニング画面として画像を所定の時間表示するように制御する表示制御装置であって、前回電源をオフ（ＯＦＦ）した時刻或いは電源をオン（ＯＮ）した時刻を記録する記録手段と、前記記録手段に記録した時刻と今回の電源オン時刻とを比較する比較手段と、前記比較手段の比較結果に基づいて表示するオープニング画面を変更する変更手段とを具備したことを特徴とする。
【発明の効果】
【００１２】
本発明によれば、電源のオン（ＯＮ）／オフ（ＯＦＦ）の時間的間隔に応じて表示されるオープニング画面としての画像が変化するので、オープニング画面としての画像表示時のユーザーのイライラ感を軽減することが可能となる。
【発明を実施するための最良の形態】
【００１３】
以下、本発明の実施の形態について、図面を参照しながら説明する。
【００１４】
本発明の特徴は、電源をオフ（ＯＦＦ）した時刻或いは電源をオン（ＯＮ）した時刻を記録し、その記録した時刻と今回の電源オン時刻とを比較し、その比較結果に基づいて表示するオープニング画面としての画像を変更することである。
【００１５】
また、本発明の特徴は、前記記録した時刻と今回の電源オン時刻との比較結果に基づいてオープニング画面としての画像を表示するか否かを制御し、前記比較処理における比較基準として任意の値を設定し、前記任意の値を記録することである。
【００１６】
（第１の実施の形態）
まず、第１の実施の形態を図１乃至図４に基づき説明する。
【００１７】
図１は、本実施の形態に係る方法及び装置が適用される電子機器であるデジタルビデオカメラの概略構成を示すブロック図である。
【００１８】
図１において、１００はデジタルビデオカメラで、カメラ画像等を表示するための表示部（ＬＣＤ）１０１、カメラ部１０２、記録再生部（ＶＴＲ部）１０３、システム制御部１０４、日付及び時間情報を出力するための時計部１０５、時計部１０５から出力された日付及び時刻情報等を記録するメモリ１０６、電源を入力するための電源切替えキー１０７及びリチウムイオン電池１０８を有している。リチウムイオン電池１０８は、時計部１０５やメモリ１０６に主電源がオフ（ＯＦＦ）した後も、電源を供給することが可能なものである。
【００１９】
まず、電源切替えキー１０７によって、電源オフ（ＯＦＦ）からカメラモードへ電源をオン（ＯＮ）した場合について説明する。
【００２０】
まず、電源切替えキー１０７がカメラ側に切り替えられると、システム制御回路１０４にその情報が入力される。すると、システム制御回路１０４は、前回電源がオフ（ＯＦＦ）された日付情報を得るために、メモリ１０６にアクセスする。メモリ１０６には、日付情報として、電源がオフ（ＯＦＦ）された時の日付情報が記録されている。この日付情報は、時計部１０５から出力されたものである。
【００２１】
もし、日付情報が現在の日付と同じであれば、表示部１０１にオープニング画面表示を行わずに、通常表示(黒画〜カメラ画表示)を行う。
【００２２】
しかし、現在の日付と電源がオフ（ＯＦＦ）された時の日付とが異なる場合には、現在の日付に応じたオープニング画面としての画像をメモリ１０６から呼び出し、オープニング画面としての画像を表示部１０１に表示する。
【００２３】
次に、電源オン（ＯＮ）を検知した後からのオープニング画面表示に関する動作について、図１及び図２を用いて説明する。
【００２４】
図２は、電源オン（ＯＮ）を検知した後からのオープニング画面表示に関する動作の流れを示すフローチャートである。
【００２５】
まず、ステップＳ２０１で、電源がオン（ＯＮ）したことを検知する。その後、ステップＳ２０２で、メモリ１０６から前回電源を切った日付情報を得るために、メモリ１０６へのアクセスが行われる。次に、ステップＳ２０３で、メモリ１０６に記録されている日付情報と現在の日付情報とが同じか否かを判断する。そして、メモリ１０６に記録されている日付情報と現在の日付情報とが同じであると判断された場合には、ステップＳ２０６へ進んで、オープニング画面表示を行わないで通常表示(黒画〜カメラ画表示)処理を行い、その後、本処理動作を終了する。
【００２６】
また、前記ステップＳ２０３において、メモリ１０６に記録されている日付情報と現在の日付情報とが異なると判断された場合には、ステップＳ２０４へ進んで、現在の日付情報に応じたオープニング画面としての画像をメモリ１０６から呼び出し、その画像を表示部１０１に表示する。その後、ステップＳ２０５へ進んで、予め設定された表示時間が経過したか否かを判断する。そして、表示時間が経過しないと判断された場合には、前記ステップＳ２０４へ戻り、オープニング画面としての画像の表示処理を行い、その後、本処理動作を終了する。
【００２７】
次に、電源切替えキー１０７によってカメラモードから電源オフ（ＯＦＦ）へ電源を切り替える場合について、図１及び図３を用いて説明する。
【００２８】
図３は、電源切替えキー１０７によってカメラモードから電源オフ（ＯＦＦ）へ電源を切り替える場合の処理動作の流れを示すフローチャートである。
【００２９】
まず、ステップＳ３０１で、電源切替えキー１０７がオフ（ＯＦＦ）に切り替えられたことを検知すると、ステップＳ３０２で、システム制御回路１０４は、時計部１０５に、電源がオフ（ＯＦＦ）された時の日付情報を出力させる。時計部１０５は、リチウムイオン電池１０８によって動作し、主電源がオフ（ＯＦＦ）されても動作を続けることができる。時計部１０５は、ステップＳ３０３で、日付情報をメモリ１０６に出力し、このメモリ１０６に記録し、その後、本処理動作を終了する。
【００３０】
メモリ１０６は、リチウムイオン電池１０８によって、記憶された日付情報を保持することが可能である。
【００３１】
次に、上記した現在の日付情報に応じたオープニング画面をメモリ１０６から呼び出すための処理動作について、図１及び図４を用いて説明する。
【００３２】
図４は、上記した現在の日付情報に応じたオープニング画面をメモリから呼び出すための処理動作の流れを示すフローチャートである。
【００３３】
まず、ステップＳ４０１で、オープニング画面としての画像の呼び出が行われると、次のステップＳ４０２で、前回の電源オフ（ＯＦＦ）時の年月日と現在の年月日の年が同じであるか否かを判断する。そして、前回の電源オフ（ＯＦＦ）時の年月日と現在の年月日の年が異なると判断された場合には、ステップＳ４０３へ進んで、新しい年の初めのオープニング画面である「NEW  YEAR  画面」の画像の呼び出しを行う。次に、ステップＳ４２９へ進んで、オープニング画面表示処理を開始した後、本処理動作を終了する。
【００３４】
一方、前記ステップＳ４０２において、前回の電源オフ（ＯＦＦ）時の年月日と現在の年月日の年が同じであると判断された場合には、ステップＳ４０４へ進んで、前回電源が切られた年月日と月が同じであるか否かを判断する。そして、前回電源が切られた年月日と月が同じであると判断された場合には、ステップＳ４２８へ進んで、通常オープニング画面としての画像をメモリ１０６から呼び出す。次に、ステップＳ４２９へ進んで、オープニング画面表示処理を開始した後、本処理動作を終了する。
【００３５】
一方、前記ステップＳ４０４において、前回電源が切られた年月日と月が異なると判断された場合には、ステップＳ４０５へ進んで、現在の月数ｍが１であるか否かを判断する。そして、現在の月数ｍが１であると判断された場合には、ステップＳ４１６へ進んで、１月用のオープニング画面の画像をメモリ１０６から呼び出す。次に、ステップＳ４２９へ進んで、オープニング画面表示処理を開始した後、本処理動作を終了する。
【００３６】
また、前記ステップＳ４０５において、現在の月数ｍが１でないと判断された場合には、ステップＳ４０６へ進んで、現在の月数ｍが２であるか否かを判断する。そして、現在の月数ｍが２であると判断された場合には、ステップＳ４１７へ進んで、２月用のオープニング画面の画像をメモリ１０６から呼び出す。次に、ステップＳ４２９へ進んで、オープニング画面表示処理を開始した後、本処理動作を終了する。
【００３７】
一方、前記ステップＳ４０６において、現在の月数ｍが２でないと判断された場合には、ステップＳ４０７へ進んで、現在の月数ｍが３であるか否かを判断する。そして、現在の月数ｍが３であると判断された場合には、ステップＳ４１８へ進んで、３月用のオープニング画面の画像をメモリ１０６から呼び出す。次に、ステップＳ４２９へ進んで、オープニング画面表示処理を開始した後、本処理動作を終了する。
【００３８】
また、前記ステップＳ４０７において、現在の月数ｍが３でないと判断された場合には、ステップＳ４０８へ進んで、現在の月数ｍが４であるか否かを判断する。そして、現在の月数ｍが４であると判断された場合には、ステップＳ４１９へ進んで、４月用のオープニング画面の画像をメモリ１０６から呼び出す。次に、ステップＳ４２９へ進んで、オープニング画面表示処理を開始した後、本処理動作を終了する。
【００３９】
一方、前記ステップＳ４０８において、現在の月数ｍが４でないと判断された場合には、ステップＳ４０９へ進んで、現在の月数ｍが５であるか否かを判断する。そして、現在の月数ｍが５であると判断された場合には、ステップＳ４２０へ進んで、５月用のオープニング画面の画像をメモリ１０６から呼び出す。次に、ステップＳ４２９へ進んで、オープニング画面表示処理を開始した後、本処理動作を終了する。
【００４０】
また、前記ステップＳ４０９において、現在の月数ｍが５でないと判断された場合には、ステップＳ４１０へ進んで、現在の月数ｍが６であるか否かを判断する。そして、現在の月数ｍが６であると判断された場合には、ステップＳ４２１へ進んで、６月用のオープニング画面の画像をメモリ１０６から呼び出す。次に、ステップＳ４２９へ進んで、オープニング画面表示処理を開始した後、本処理動作を終了する。
【００４１】
一方、前記ステップＳ４１０において、現在の月数ｍが６でないと判断された場合には、ステップＳ４１１へ進んで、現在の月数ｍが７であるか否かを判断する。そして、現在の月数ｍが７であると判断された場合には、ステップＳ４２２へ進んで、７月用のオープニング画面の画像をメモリ１０６から呼び出す。次に、ステップＳ４２９へ進んで、オープニング画面表示処理を開始した後、本処理動作を終了する。
【００４２】
また、前記ステップＳ４１１において、現在の月数ｍが７でないと判断された場合には、ステップＳ４１２へ進んで、現在の月数ｍが８であるか否かを判断する。そして、現在の月数ｍが８であると判断された場合には、ステップＳ４２３へ進んで、８月用のオープニング画面の画像をメモリ１０６から呼び出す。次に、ステップＳ４２９へ進んで、オープニング画面表示処理を開始した後、本処理動作を終了する。
【００４３】
一方、前記ステップＳ４１２において、現在の月数ｍが８でないと判断された場合には、ステップＳ４１３へ進んで、現在の月数ｍが９であるか否かを判断する。そして、現在の月数ｍが９であると判断された場合には、ステップＳ４２４へ進んで、９月用のオープニング画面の画像をメモリ１０６から呼び出す。次に、ステップＳ４２９へ進んで、オープニング画面表示処理を開始した後、本処理動作を終了する。
【００４４】
また、前記ステップＳ４１３において、現在の月数ｍが９でないと判断された場合には、ステップＳ４１４へ進んで、現在の月数ｍが１０であるか否かを判断する。そして、現在の月数ｍが１０であると判断された場合には、ステップＳ４２５へ進んで、１０月用のオープニング画面の画像をメモリ１０６から呼び出す。次に、ステップＳ４２９へ進んで、オープニング画面表示処理を開始した後、本処理動作を終了する。
【００４５】
一方、前記ステップＳ４１４において、現在の月数ｍが１０でないと判断された場合には、ステップＳ４１５へ進んで、現在の月数ｍが１１であるか否かを判断する。そして、現在の月数ｍが１１であると判断された場合には、ステップＳ４２６へ進んで、１１月用のオープニング画面の画像をメモリ１０６から呼び出す。次に、ステップＳ４２９へ進んで、オープニング画面表示処理を開始した後、本処理動作を終了する。
【００４６】
また、前記ステップＳ４１５において、現在の月数ｍが１１でないと判断された場合には、ステップＳ４２７へ進んで、１２月用のオープニング画面の画像をメモリ１０６から呼び出す。次に、ステップＳ４２９へ進んで、オープニング画面表示処理を開始した後、本処理動作を終了する。
【００４７】
以上のように、本実施の形態に係る表示制御装置によれば、一定の時間内での電源のオン／オフにおいては、ユーザーがオープニング画面としての画像を見るのは、最初の電源投入時の１回のみであり、オープニング画面としての画像表示時の待機時間によるイライラ感を軽減することが可能となる。
【００４８】
（第２の実施の形態）
次に、第２の実施の形態を、図５乃至図８に基づき説明する。
【００４９】
図５は、本実施の形態に係る電子機器であるビデオカメラの概略構成を示すブロック図であり、同図において、上述した第１の実施の形態の図１と同一部分には、同一符号が付してある。
【００５０】
図５において、図１と異なる点は、図１の構成に、オープニング画面の表示条件を切り替えるためのオープニングオン／オフ切替え条件入力キー５０１を付加したことである。オープニングオン／オフ切替え条件入力キー５０１は、縦に配列された３つの切替えスイッチａ，ｂ，ｅを有している。
【００５１】
図５において、１００はデジタルビデオカメラで、カメラ画像等を表示するための表示部（ＬＣＤ）１０１、カメラ部１０２、記録再生部（ＶＴＲ部）１０３、システム制御部１０４、日付及び時間情報を出力するための時計部１０５、時計部１０５から出力された日付及び時刻情報等を記録するメモリ１０６、電源を入力するための電源切替えキー１０７及びリチウムイオン電池１０８を有している。リチウムイオン電池１０８は、時計部１０５やメモリ１０６に主電源がオフ（ＯＦＦ）した後も、電源を供給することが可能なものである。
【００５２】
このような構成のビデオカメラにおいて、オープニング画面の表示条件を切り替える切替え方法について説明する。
【００５３】
まず、オープニングオン／オフ切替え条件入力キー切替えキー５０１の切替えスイッチｅをオン（ＯＮ）すると、表示部１０１の表示画面が図６に示す状態に切り替わる。
【００５４】
この図６に示す画面では、オープニング画面を表示する条件として、前回電源オフ（ＯＦＦ）時の年月日と何が異なる場合にオープニング画面を表示させるのか、を選択するための選択項目が表示され、選択されている項目の色が白に変更されている（ここでは、月が白に変更されている）。
【００５５】
項目を選択するためには、縦に配列されている切替えスイッチa、bによって選択したい項目を選ぶ。
【００５６】
この図６に表示された条件で良い場合には、切替えスイッチeをオン（ＯＮ）すると、実際に設定が行われ、その設定が終了する。ここで設定した時間単位である月が、前回電源オフ（ＯＦＦ）時と次回電源オン（ＯＮ）時とで異なる場合には、オープニング画面を表示し、そうでない場合には、オープニング画面を表示しない。
【００５７】
次に、上述したオープニング画面表示制御動作について、図５及び図７を用いて説明する。
【００５８】
図７は、上述したオープニング画面表示制御動作の流れを示すフローチャートである。
【００５９】
まず、ステップＳ７０１で、電源入力を検知すると、次のステップＳ７０２で、前回電源をオフ（ＯＦＦ）した時の年月日データを呼び出す。次に、ステップＳ７０３で、前回電源オフ（ＯＦＦ）時の年月日データと今回電源をオン（ＯＮ）した年月日データとを元に、オープニング画面の表示条件に適合するか否かを判断する。次に、ステップＳ７０４で、前記ステップＳ７０３において適合した場合にセットされるフラグｋによって、オープニング画面を表示するか否か（オープニング画面表示条件の適合フラグｋ＝１であるか否か）を判断する。そして、オープニング画面表示条件に適合した場合、即ち、オープニング画面表示条件の適合フラグｋ＝１であると判断された場合には、ステップＳ７０５へ進んで、現在日時に応じたオープニング画面表示処理を行う。次に、ステップＳ７０６で、表示時間が一定時間経過したか否かを判断する。そして、表示時間が一定時間を経過しないと判断された場合には、前記ステップＳ７０５へ戻り、現在日時に応じたオープニング画面表示処理を再度行う。
【００６０】
また、前記ステップＳ７０６において、表示時間が一定時間を経過したと判断された場合及び前記ステップＳ７０４において、オープニング画面表示条件に適合しない場合、即ち、オープニング画面表示条件の適合フラグｋ＝１でないと判断された場合には、いずれもステップＳ７０７へ進んで、通常画面表示処理を行って、通常画面を表示部１０１に表示した後、本処理動作を終了する。
【００６１】
次に、前記図７のステップＳ７０３において実行されるオープニング画面表示条件の適合判別処理動作について、図５及び図８を用いて説明する。
【００６２】
図８は、前記図７のステップＳ７０３において実行されるオープニング画面表示条件の適合判別処理動作の流れを示すフローチャートである。
【００６３】
まず、ステップＳ８０１で、前回電源オフ（ＯＦＦ）時の年月日と現在の年が異なるか否かを判断する。そして、前回電源オフ（ＯＦＦ）時の年月日と現在の年が異なると判断された場合には、ステップＳ８０２へ進んで、適合フラグｋに１をセットした後、本処理動作を終了する。
【００６４】
一方、前記ステップＳ８０１において、前回電源オフ（ＯＦＦ）時の年月日と現在の年が同じであると判断された場合には、ステップＳ８０３へ進んで、オープニング表示条件が年以上に設定されているか否かを判断する。そして、オープニング画面表示条件が年以上に設定されていると判断された場合には、ステップＳ８０４へ進んで、適合フラグｋに０をセットした後、本処理動作を終了する。
【００６５】
一方、前記ステップＳ８０３において、オープニング画面表示条件が年以上に設定されていないと判断された場合には、ステップＳ８０５へ進んで、オープニング画面表示条件が月以上であるか否かを判断する。そして、オープニング画面表示条件が月以上であると判断された場合には、ステップＳ８０７へ進んで、現在年月日と前回電源オフ（ＯＦＦ）時の年月日の月が同じであるか否かを判断する。そして、現在年月日と前回電源オフ（ＯＦＦ）時の年月日の月が同じであると判断された場合には、ステップＳ８０９へ進んで、表示条件適合フラグｋに０をセットした後、本処理動作を終了する。
【００６６】
一方、前記ステップＳ８０７において、現在年月日と前回電源オフ（ＯＦＦ）時の年月日の月が異なると判断された場合には、ステップＳ８０８へ進んで、表示条件適合フラグｋに１をセットした後、本処理動作を終了する。
【００６７】
また、前記ステップＳ８０５において、オープニング画面表示条件が月以上に設定されていないと判断された場合には、オープニング画面表示条件が日に設定されていることになるので、ステップＳ８０６へ進んで、前回電源オフ（ＯＦＦ）時と現在年月日の日が同じであるか否かを判断する。そして、前回電源オフ（ＯＦＦ）時と現在年月日の日が同じであると判断された場合には、前記ステップＳ８０４へ進んで、表示条件適合フラグｋに０をセットした後、本処理動作を終了する。
【００６８】
一方、前記ステップＳ８０６において、前回電源オフ（ＯＦＦ）時と現在年月日の日が異なると判断された場合には、前記ステップＳ８０８へ進んで、表示条件適合フラグｋに１をセットした後、本処理動作を終了する。
【００６９】
以上のように、本実施の形態に係る表示制御方法及び装置によれば、例えば、使用した日の最初に電源をオンした時のみにオープニング画面としての画像を表示させることが可能になり、第１の実施の形態における効果に加えて、毎回オープニング画面としての画像を表示してユーザーを待たせる回数を減らすことが可能となる。
【００７０】
（その他の実施の形態）
以上が本発明の実施の形態の説明であるが、本発明は、これら実施の形態に限られるものではなく、特許請求の範囲で示した機能、または実施の形態の構成が持つ機能を達成できる構成であれば、どのようなものであっても適用可能である。
【００７１】
また、本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても、達成されることは言うまでもない。この場合、記憶媒体から読み出されたプログラムコード自体が本発明の新規な機能を実現することになり、そのプログラムコードを記憶した記憶媒体及びプログラムは本発明を構成することになる。
【００７２】
また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７３】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれることは言うまでもない。
【００７４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。
【図面の簡単な説明】
【００７５】
【図１】第１の実施の形態に係る表示制御装置が適用される電子機器であるビデオカメラの概略構成を示すブロック図である。
【図２】第１の実施の形態に係る表示制御装置が適用される電子機器であるビデオカメラにおける電源投入後からのオープニング画面表示のための処理動作の流れを示すフローチャートである。
【図３】第１の実施の形態に係る表示制御装置が適用される電子機器であるビデオカメラにおける電源オフ（ＯＦＦ）後から次回電源オン（ＯＮ）時のオープニング画面表示のため処理動作の流れを示すフローチャートである。
【図４】第１の実施の形態に係る表示制御装置が適用される電子機器であるビデオカメラにおける前回電源オフ（ＯＦＦ）時の年月日と今回電源オン（ＯＮ）時の年月日とを比較した比較結果に応じたオープニング画面を呼び出すための処理動作の流れを示すフローチャートである。
【図５】第２の実施の形態に係る表示制御装置が適用される電子機器であるビデオカメラの概略構成を示すブロック図である。
【図６】第２の実施の形態に係る表示制御装置が適用される電子機器であるビデオカメラにおけるオープニング画面表示条件切替え設定画面の一例を示す図である。
【図７】第２の実施の形態に係る表示制御装置が適用される電子機器であるビデオカメラにおけるオープニング画面表示のための処理動作の流れを示すフローチャートである
【図８】第２の実施の形態に係る表示制御装置が適用される電子機器であるビデオカメラにおけるオープニング画面表示条件への適合判別のための処理動作の流れを示すフローチャートである。
【符号の説明】
【００７６】
１００      デジタルビデオカメラ（電子機器）
１０１      表示部（ＬＣＤ）
１０４      システム制御回路（比較手段、変更手段、制御手段、設定手段）
１０６      メモリ（記録手段）
【図１】
2005321695.tif 000003
【図２】
2005321695.tif 000004
【図３】
2005321695.tif 000005
【図４】
2005321695.tif 000006
【図５】
2005321695.tif 000007
【図６】
2005321695.tif 000008
【図７】
2005321695.tif 000009
【図８】
2005321695.tif 000010